(57)【要約】  【課題】二つのマグネット間に磁性体の無い反発磁界利用のスピーカユニットに対し、所望の特性を得るための有効十分な磁束分布を持たせるとともに低コスト化を図る。  【解決手段】同極同士を対向させた二つのマグネット２ａ，２ｂ間の空間距離を任意に調整する調整機構５を備えるとともに、該調整機構５は、フレーム１上に立設した非磁性材製のねじ軸６に、二つのマグネット２ａ，２ｂの少なくとも一方を螺合させ、該二つのマグネット２ａ，２ｂ間の空間距離を調整可能に構成とした。【選択図】図１
2006352590.tif 000002
【特許請求の範囲】
【請求項１】
二つのマグネットの同極同士を対向させることにより形成された反発磁界内にボイスコイルを配置してなるスピーカにおいて、
前記二つのマグネット間の空間距離を任意に調整する調整機構を有することを特徴とするスピーカ。
【請求項２】
上記調整機構は、フレーム上に立設した非磁性材製のねじ軸に、上記二つのマグネットのうちの少なくとも一方を、該二つのマグネット間の空間距離を調整可能に螺合させた構成からなることを特徴とする請求項１記載のスピーカ。
【請求項３】
上記二つのマグネット間を所要の距離に調整した後、前記二つのマグネット間を樹脂で固定してなることを特徴とする請求項１又は２記載のスピーカ。
【請求項４】
上記ボイスコイルは、振動板となる部分に直接接着してなることを特徴とする請求項１，２又は３記載のスピーカ。
【発明の詳細な説明】
【技術分野】
【０００１】
本発明は、スピーカに関するものであり、特に、二つのマグネット間に磁性体の無い反発磁界利用のスピーカユニットに対し、所望の特性を得るための有効、且つ、十分な磁束分布を持たせることが可能なスピーカに関するものである。
【背景技術】
【０００２】
従来のスピーカとしては、例えば次のようなものが知られている。この従来技術は、同極同士を対向させた二つのマグネット間に鉄等の磁性材からなるプレートを挟むことにより、反発磁気による磁気回路を構成するとともに、前記プレートの外周部に得られる反発磁界内にボイスコイルを配置したスピーカにおいて、前記プレートを複数個のプレート片の接合により構成して該プレートの内部に中空部を形成し、且つ、該中空部の体積を大きくして、反発磁気回路構成部全体の軽量化を図っている（例えば、特許文献１参照）。
【特許文献１】特開平６−３２７０９４号公報（第２頁、図１）。
【発明の開示】
【発明が解決しようとする課題】
【０００３】
特許文献１記載の従来技術においては、同極同士を対向させた二つのマグネット間に鉄等の磁性材からなるプレートを介在させるとともに、該プレートの内部に中空部を形成するため、該プレートを複数個のプレート片の接合により構成している。しかしながら、二つのマグネット間に磁性材からなるプレートを介在させ、且つ、該プレートを複数個のプレート片の接合により構成すると、部品点数が増えるとともに、組み立て工数が増えて、コスト高を招くことになる。
【０００４】
そこで、二つのマグネット間に磁性体の無い反発磁界利用のスピーカユニットに対し、所望の特性を得るための有効かつ十分な磁束分布を確保するとともに低コスト化を図るために解決すべき技術的課題が生じてくるのであり、本発明はこの課題を解決することを目的とする。
【課題を解決するための手段】
【０００５】
本発明は上記目的を達成するために提案されたものであり、請求項１記載の発明は、二つのマグネットの同極同士を対向させることにより形成された反発磁界内にボイスコイルを配置してなるスピーカにおいて、前記二つのマグネット間の空間距離を任意に調整する調整機構を有するスピーカを提供する。
【０００６】
この構成によれば、反発磁界利用のスピーカユニットに対し、二つのマグネット間の距離を調整することで、二つのマグネット間に磁性体を介在させることなく、所望のスピーカ特性を出力するための磁束分布の調整を行うことが可能となる。
【０００７】
請求項２記載の発明は、上記調整機構は、フレーム上に立設した非磁性材製のねじ軸に、上記二つのマグネットのうちの少なくとも一方を、該二つのマグネット間の空間距離を調整可能に螺合させた構成からなるスピーカを提供する。
【０００８】
この構成によれば、非磁性材製のねじ軸に螺合された少なくとも一方のマグネットを、左方向又は右方向に適宜に回動させることで、該マグネットが前記ねじ軸上を移動して、二つのマグネット間の距離が調整される。二つのマグネットは、その調整位置で、該二つのマグネット同士の反発力により、前記ねじ軸上に固定される。
【０００９】
請求項３記載の発明は、上記二つのマグネット間を所要の距離に調整した後、前記二つのマグネット間を樹脂で固定してなるスピーカを提供する。
【００１０】
この構成によれば、二つのマグネット間を樹脂で固定することで、該二つのマグネット間が、所望の距離に調整された状態で確実に保持される。該二つのマグネット間の樹脂による固定は、該二つのマグネットをスピーカユニットに組み込んで、所望の距離に調整した後に行ってもよい。また、同じ型式のマグネットに対し、二つのマグネット間の最適な距離データが既に求められているときは、スピーカユニットへの組み込み前に行ってもよい。
【００１１】
請求項４記載の発明は、上記ボイスコイルは、振動板となる部分に直接接着してなるスピーカを提供する。
【００１２】
この構成によれば、ボイスコイルは、振動板となる部分に直接接着されて、所望の磁束分布に調整された反発磁界内に配置される。ボイスコイルに音声電流が流れると、該ボイスコイルが前記磁束分布及び音声電流の値に応じて振動し、該振動が前記振動板に伝わって、所望の特性からなる音が再生される。
【発明の効果】
【００１３】
請求項１記載の発明は、二つのマグネット間の空間距離を任意に調整する調整機構を具備させたので、二つのマグネット間に磁性体の無い反発磁界利用のスピーカユニットに対し、所望のスピーカ特性を得るための有効、且つ、十分な磁束分布を持たせることができる。また、二つのマグネット間に磁性材のプレート等を使用しないことで、部品点数が減って組み付けが容易になり、低コスト化を図ることができるという利点がある。
【００１４】
請求項２記載の発明は、上記調整機構は、フレーム上に立設した非磁性材製のねじ軸に、上記二つのマグネットのうちの少なくとも一方を、該二つのマグネット間の空間距離を調整可能に螺合させる構成としたので、請求項１記載の発明の効果に加えて、部品点数の少ない簡易な構成の調整機構により、二つのマグネット間の空間距離を精度よく調整することができるという利点がある。
【００１５】
請求項３記載の発明は、上記二つのマグネット間を所要の距離に調整した後、前記二つのマグネット間を樹脂で固定したので、請求項１又は２記載の発明の効果に加えて、所望のスピーカ特性を得るための有効、且つ、十分な磁束分布を有するように調整された二つのマグネット間を、その状態で確実に保持することができる。また、同じ型式のマグネットに対し、二つのマグネット間の最適な距離データが既に求められている場合、二つのマグネット間の樹脂固定をスピーカユニットへの組み込み前に行ったときは、距離調整機構をスピーカユニットに組み込むことが不要となって、この点においても、一層の低コスト化を図ることができるという利点がある。
【００１６】
請求項４記載の発明は、上記ボイスコイルは、振動板となる部分に直接接着したので、請求項１，２又は３記載の発明の効果に加えて、コイル巻回用のボビン等が不要となって、更なる低コスト化を図ることができるという利点がある。
【発明を実施するための最良の形態】
【００１７】
二つのマグネット間に磁性体の無い反発磁界利用のスピーカユニットに対し、所望の特性を得るための有効・十分な磁束分布を付与し、低コスト化を図るという目的を、二つのマグネットの同極同士を対向させて形成された反発磁界内にボイスコイルを配置してなるスピーカにおいて、前記二つのマグネット間の空間距離を任意に調整する調整機構を備えるとともに、該調整機構は、フレーム上に立設した非磁性材製のねじ軸に、前記二つのマ
グネットのうちの少なくとも一方を移動可能に螺合させ、該二つのマグネット間の空間距離を調整可能とし、また前記ボイスコイルは、振動板となる部分に直接接着させることにより実現した。
【００１８】
本発明の最良形態は、同極同士を相互に対向させた２つのマグネット間の距離を任意に調整する調整機構を備えたことを特徴とする。前記２つのマグネットは、その間に所要の空間を持たせるように、非磁性体のねじで固定する。この場合、２つのマグネット間に磁性体をおくことなく、スピーカユニットの音声特性を出すために十分な磁束分布を持たせる。ボイスコイルの取り付け方法としては、スピーカの振動板となる部分に合成樹脂により直接接着する。
【００１９】
ねじにより前記マグネットを固定することで、前記マグネット間の隙間を適宜調整することができる。又、ねじ固定により、反発磁場を形成するマグネットが確実に固定される。更に、マグネット間に磁性体を配置しなくとも、有効な磁束を得ることができる。そして、マグネット間に磁性材を使用しないこと、また、ボイスコイルを直接振動板に接着することで、スピーカユニットとしての部品点数を減らすことができ、商品コストを大幅に下げることができる。また、部品点数を減らすことで、スピーカシステムの組み立てにおける工数も減らすことができる。
【実施例１】
【００２０】
以下、本発明の実施例を図面に従って詳述する。まず、本実施例に係るスピーカの構成を説明する。図１は、一半分側を省略して示す断面図である。フレーム１内の中央部に、同極同士が対向するように、二つのマグネット２ａ，２ｂが配置されている。該二つのマグネット２ａ，２ｂ間には、従来技術で述べたような磁性体は無く、該二つのマグネット２ａ，２ｂ間は空間になっている。
【００２１】
そして、該二つのマグネット２ａ，２ｂにより形成される反発磁界内にボイスコイル３が配置されている。該ボイスコイル３は、振動板４となる部分に樹脂等で直接接着されている。該振動板４の周辺部は、エッジ４ａを介して、前記フレーム１の外周上部に固着されている。
【００２２】
本実施例では、上記のような構成のスピーカにおいて、同極同士を対向させた二つのマグネット２ａ，２ｂ間に磁性体を介在させなくとも、所要の磁束分布を持つ反発磁界を得るために、二つのマグネット２ａ，２ｂ間の空間距離ｄを任意に調整する調整機構５が内装されている。
【００２３】
該調整機構５の具体的な構成を述べると、前記二つのマグネット２ａ，２ｂの各中心部にねじ下孔が開けられ、該ねじ下孔の内壁にそれぞれ雌ねじが形成されている。一方、前記フレーム１内の中央部に、非磁性材製のねじ軸６が螺着等により立設され、該ねじ軸６に前記二つのマグネット２ａ，２ｂが、該二つのマグネット２ａ，２ｂ間の空間距離ｄを調整可能に螺合されている。
【００２４】
次に、上述のように構成されたスピーカの調整及び作用を説明する。ねじ軸６に螺合された二つのマグネット２ａ，２ｂの両方、もしくはいずれか一方のマグネット２ａ又は２ｂを左方向又は右方向に適宜に回動させることで、回動されたマグネット２ａ，２ｂ、もしくは２ａ又は２ｂが前記ねじ軸６上を移動して、二つのマグネット２ａ，２ｂ間の距離ｄが精度よく調整される。
【００２５】
この調整の結果、二つのマグネット２ａ，２ｂ間に磁性体を介在させることなく、所望のスピーカ特性を出すための有効、且つ、十分な磁束分布を持つ反発磁界が得られる。図
２は、この調整の結果得られた有効、且つ、十分な磁束分布Ｂを持つ反発磁界の例を示している。二つのマグネット２ａ，２ｂは、その調整位置で、該二つのマグネット２ａ，２ｂ同士の反発力により、ねじ軸６上に固定される。
【００２６】
そして、ボイスコイル３に音声電流が流れてスピーカが駆動されると、該ボイスコイル３が前記有効、且つ、十分な磁束分布及び音声電流の値に応じて振動し、該振動が振動板４に伝わって所望のスピーカ特性からなる音が再生される。
【００２７】
図３の（ａ）は、前記二つのマグネット２ａ，２ｂ間を所要の距離に調整した後、該二つのマグネット２ａ，２ｂ間を樹脂７で固定した状態を示している。二つのマグネット２ａ，２ｂ間を樹脂７で固定することで、該二つのマグネット２ａ，２ｂ間が所望の距離に調整され、その後、前記調整された状態のままで確実に保持される。
【００２８】
該二つのマグネット２ａ，２ｂ間の樹脂７による固定は、該二つのマグネット２ａ，２ｂをスピーカユニットに組み込んで、所望の距離に調整した後に行ってもよい。また、同じ型式のマグネットに対し、二つのマグネット２ａ，２ｂ間の最適な距離データが既に求められているときは、スピーカユニットへの組み込み前に行ってもよい。さらにまた、二つのマグネット２ａ，２ｂ間の固定をスピーカユニットへの組み込み前に行うときは、図３の（ｂ）に示すように、ケース状枠８を用いて固定してもよい。
【００２９】
上述したように、本実施例に係るスピーカにおいては、部品点数の少ない簡易な構成の調整機構５により、二つのマグネット２ａ，２ｂ間の空間距離を精度よく調整することができる。
【００３０】
二つのマグネット２ａ，２ｂ間に磁性体の無い反発磁界利用のスピーカユニットに対し、所望のスピーカ特性を得るための有効、且つ、十分な磁束分布を持たせることができる。
【００３１】
二つのマグネット２ａ，２ｂ間に磁性材のプレート等を使用しないことで、部品点数が減って低コスト化を図ることができる。
【００３２】
二つのマグネット２ａ，２ｂ間を所要の距離に調整した後、前記二つのマグネット２ａ，２ｂ間を樹脂７で固定することで、所望のスピーカ特性を得るための有効、且つ、十分な磁束分布を持つように調整された二つのマグネット２ａ，２ｂ間を、その後確実に保持することができる。
【００３３】
二つのマグネット２ａ，２ｂ間の樹脂７又はケース状枠８による固定をスピーカユニットへの組み込み前に行ったときは、調整機構５をスピーカユニットに組み込むことが不要となって、低コスト化を図ることができる。
【００３４】
また、ボイスコイル３を、振動板４となる部分に直接接着することで、コイル巻回用のボビン等が不要となって、低コスト化を図ることができる。
【００３５】
なお、本発明は、本発明の精神を逸脱しない限り種々の改変をなすことができ、そして、本発明が該改変されたものにも及ぶことは当然である。
【図面の簡単な説明】
【００３６】
図は、本発明の実施例に係るスピーカを示すものである。
【図１】一半分側を省略して示す断面図。
【図２】空間距離が調整された二つのマグネットにより形成された反発磁界例を示す説明図。
【図３】所要の距離に調整された二つのマグネット間の固定例を示す説明図であり、（ａ）は樹脂による固定を示し、（ｂ）はケース状枠による固定を示す。
【符号の説明】
【００３７】
１          フレーム
２ａ，２ｂ  マグネット
３          ボイスコイル
４          振動板
５          調整機構
６          ねじ軸
７          樹脂
【図１】
2006352590.tif 000003
【図２】
2006352590.tif 000004
【図３】
2006352590.tif 000005